(57)【要約】【課題】  周囲が暗い状況下においても、液量（液面の位置）の認識をより一層容易に行うことの可能な液量表示装置を提供する。【解決手段】  液体（例えば水）３を収容する容器１と、該容器１と連通し前記容器１内の液量（例えば水位）を確認するための液量表示管２と、紫外光から緑色可視光までの波長領域のうちの所定の波長の光を発光する固体光源４とを有し、前記液量表示管２には、液体３の表面（液面）に浮かび、前記固体光源４からの励起光により励起され前記固体光源４の発光波長よりも長波長の蛍光を発光する少なくとも１種類の蛍光体を含む浮き子５が配設されている。【選択図】      図１
2013063167.tif 000002
【特許請求の範囲】
【請求項１】
液体を収容する容器と、該容器と連通し前記容器内の液量を確認するための液量表示管と、紫外光から緑色可視光までの波長領域のうちの所定の波長の光を発光する固体光源とを有し、前記液量表示管には、液体の表面（液面）に浮かび、前記固体光源からの励起光により励起され前記固体光源の発光波長よりも長波長の蛍光を発光する少なくとも１種類の蛍光体を含む浮き子が配設されていることを特徴とする液量表示装置。
【請求項２】
請求項１記載の液量表示装置において、前記浮き子は、室温から９０℃に温度が上昇した場合の蛍光強度維持率が９０％以上の蛍光体を少なくとも１種類含み、室温から９０℃に温度が上昇した場合の蛍光強度維持率が９０％未満の蛍光体を少なくとも１種類含んでいることを特徴とする液量表示装置。
【請求項３】
請求項１または請求項２に記載の液量表示装置が用いられていることを特徴とする電気湯沸かし器。
【請求項４】
請求項１または請求項２に記載の液量表示装置が用いられていることを特徴とする保温容器。
【請求項５】
請求項１記載の液量表示装置が用いられていることを特徴とする油量計。
【発明の詳細な説明】
【技術分野】
【０００１】
本発明は、液量表示装置、電気湯沸かし器、保温容器、油量計に関する。
【背景技術】
【０００２】
特許文献１、特許文献２には、導水パイプの内部に、蛍光塗料を含んだ浮き子を設け、内容器内の湯量は水位表示窓を通して、暗い場所でも浮き子の位置によって見分けることができる電気湯沸かし器が示されている。
【先行技術文献】
【特許文献】
【０００３】
【特許文献１】特開平７−５９６６０号公報
【特許文献２】特開２００２−２０９７４５号公報
【発明の概要】
【発明が解決しようとする課題】
【０００４】
しかしながら、蛍光塗料のそれ自体の発光は、差程明るいものではなく、特許文献１、特許文献２の電気湯沸かし器では、暗い場所で（周囲が暗い状況下において）浮き子の位置を明確には視認することはできず、従って、例えば視力の低下した人にとっては液量（液面の位置）の認識を容易に行うことができないという問題があった。
【０００５】
本発明は、周囲が暗い状況下においても、液量（液面の位置）の認識をより一層容易に行うことの可能な液量表示装置、電気湯沸かし器、保温容器、油量計を提供することを目的としている。
【０００６】
さらに、本発明は、液体の温度を簡易的に知ることの可能な液量表示装置、電気湯沸かし器、保温容器、油量計を提供することを目的としている。
【課題を解決するための手段】
【０００７】
上記目的を達成するために、請求項１記載の発明は、液体を収容する容器と、該容器と連通し前記容器内の液量を確認するための液量表示管と、紫外光から緑色可視光までの波長領域のうちの所定の波長の光を発光する固体光源とを有し、前記液量表示管には、液体の表面（液面）に浮かび、前記固体光源からの励起光により励起され前記固体光源の発光波長よりも長波長の蛍光を発光する少なくとも１種類の蛍光体を含む浮き子が配設されていることを特徴としている。
【０００８】
また、請求項２記載の発明は、請求項１記載の液量表示装置において、前記浮き子は、室温から９０℃に温度が上昇した場合の蛍光強度維持率が９０％以上の蛍光体を少なくとも１種類含み、室温から９０℃に温度が上昇した場合の蛍光強度維持率が９０％未満の蛍光体を少なくとも１種類含んでいることを特徴としている。
【０００９】
また、請求項３記載の発明は、請求項１または請求項２に記載の液量表示装置が用いられていることを特徴とする電気湯沸かし器である。
【００１０】
また、請求項４記載の発明は、請求項１または請求項２に記載の液量表示装置が用いられていることを特徴とする保温容器である。
【００１１】
また、請求項５記載の発明は、請求項１記載の液量表示装置が用いられていることを特徴とする油量計である。
【発明の効果】
【００１２】
請求項１、請求項２記載の発明によれば、液体を収容する容器と、該容器と連通し前記容器内の液量を確認するための液量表示管と、紫外光から緑色可視光までの波長領域のうちの所定の波長の光を発光する固体光源とを有し、前記液量表示管には、液体の表面（液面）に浮かび、前記固体光源からの励起光により励起され前記固体光源の発光波長よりも長波長の蛍光を発光する少なくとも１種類の蛍光体を含む浮き子が配設されているので、周囲が暗い状況下においても、液量（液面の位置）の認識を従来に比べて容易に行うことことができる。
【００１３】
特に、請求項２記載の発明によれば、請求項１記載の液量表示装置において、前記浮き子は、室温から９０℃に温度が上昇した場合の蛍光強度維持率が９０％以上の蛍光体を少なくとも１種類含み、室温から９０℃に温度が上昇した場合の蛍光強度維持率が９０％未満の蛍光体を少なくとも１種類含んでいるので、さらに、液体の温度を簡易的に知ることことができる。
【００１４】
また、請求項３、４、５記載の発明によれば、請求項１または請求項２に記載の液量表示装置が用いられているので、周囲が暗い状況下においても、液量（液面の位置）の認識を従来に比べて容易に行うことことができ、さらには、液体の温度を簡易的に知ることもできる。。
【図面の簡単な説明】
【００１５】
【図１】本発明の液量表示装置の一構成例を示す図である。
【図２】浮き子の一例を示す図（断面図）である。
【図３】浮き子の他の例を示す図（断面図）である。
【図４】浮き子の他の例を示す図である。
【発明を実施するための最良の形態】
【００１６】
以下、本発明の実施形態を図面に基づいて説明する。
【００１７】
図１は、本発明の液量表示装置の一構成例を示す図である。図１を参照すると、本発明の液量表示装置は、液体（例えば水）３を収容する容器１と、該容器１と連通し前記容器１内の液量（例えば水位）を確認するための液量表示管２と、紫外光から緑色可視光までの波長領域のうちの所定の波長の光を発光する固体光源４とを有し、前記液量表示管２には、液体３の表面（液面）に浮かび、前記固体光源４からの励起光により励起され前記固体光源４の発光波長よりも長波長の蛍光を発光する少なくとも１種類の蛍光体を含む浮き子５が配設されている。
【００１８】
ここで、液量表示管２は、透明な材料で構成されているのが好ましい。また、図１の例では、液量表示管２には、液量表示管２と容器１との間で液体３の連通を妨げずに浮き子５を液量表示管２内に保持するためのストッパー１２が設けられている。具体的に、このストッパー１２は、例えばメッシュ状のもので構成されており、この場合、メッシュの粗さは、浮き子５の径よりも小さい（細かい）が、図１の例では、固体光源４からの励起光の浮き子５への光路をできる限り妨げない粗さであるのが好ましい。また、このストッパー１２は、例えば、固体光源４からの励起光を透過させる材料（透明材料）で形成されるのが好ましい。なお、図１において、符号１１は、液量表示管２と容器１との間（厳密には、液量表示管２のストッパー１２から容器１までの間）で液体３の連通させるための連通管であり、連通管１１は、図１の例では、少なくとも固体光源４からの励起光が照射する部分については、固体光源４からの励起光を液量表示管２内の浮き子５に向けて透過させる材料（透明材料）で形成されている。
【００１９】
また、固体光源４には、紫外光から緑色可視光領域に発光波長をもつ発光ダイオードや半導体レーザーなどが使用可能である。
【００２０】
より具体的に、固体光源４には、例えば、ＩｎＧａＮ系の材料を用いた発光波長が約３８０ｎｍ乃至約４０５ｎｍの近紫外光を発光する発光ダイオードや半導体レーザーなどを用いることができる。この場合、浮き子５に含まれる蛍光体としては、波長が約３８０ｎｍ乃至約４０５ｎｍの紫外光により励起されるものとして、例えば、赤色蛍光体には、ＣａＡｌＳｉＮ３：Ｅｕ２＋、（Ｃａ，Ｓｒ）ＡｌＳｉＮ３：Ｅｕ２＋、Ｃａ２Ｓｉ５Ｎ８：Ｅｕ２＋、（Ｃａ，Ｓｒ）２Ｓｉ５Ｎ８：Ｅｕ２＋、ＫＳｉＦ６：Ｍｎ４＋、ＫＴｉＦ６：Ｍｎ４＋等が用いられ、黄色蛍光体には、（Ｓｒ，Ｂａ）２ＳｉＯ４：Ｅｕ２＋、Ｃａｘ（Ｓｉ，Ａｌ）１２（Ｏ，Ｎ）１６：Ｅｕ２＋等が用いられ、緑色蛍光体には、（Ｂａ，Ｓｒ）２ＳｉＯ４：Ｅｕ２＋、Ｂａ３Ｓｉ６Ｏ１２Ｎ２：Ｅｕ２＋、（Ｓｉ，Ａｌ）６（Ｏ，Ｎ）８：Ｅｕ２＋、ＢａＭｇＡｌ１０Ｏ１７：Ｅｕ２＋，Ｍｎ２＋等が用いられ、青色蛍光体には、ＢａＭｇＡｌ１０Ｏ１７：Ｅｕ２＋等を用いることができる。
【００２１】
また、固体光源４には、例えば、ＧａＮ系の材料を用いた発光波長が約４６０ｎｍ程度の青色光を発光する発光ダイオードや半導体レーザーなどを用いることができる。この場合、浮き子５に含まれる蛍光体としては、波長が約４４０ｎｍ乃至約４７０ｎｍの青色光により励起されるものとして、例えば、赤色蛍光体には、ＣａＡｌＳｉＮ３：Ｅｕ２＋、（Ｃａ，Ｓｒ）ＡｌＳｉＮ３：Ｅｕ２＋、Ｃａ２Ｓｉ５Ｎ８：Ｅｕ２＋、（Ｃａ，Ｓｒ）２Ｓｉ５Ｎ８：Ｅｕ２＋、ＫＳｉＦ６：Ｍｎ４＋、ＫＴｉＦ６：Ｍｎ４＋等が用いられ、黄色蛍光体には、Ｙ３Ａｌ５Ｏ１２：Ｃｅ３＋、（Ｓｒ，Ｂａ）２ＳｉＯ４：Ｅｕ２＋、Ｃａｘ（Ｓｉ，Ａｌ）１２（Ｏ，Ｎ）１６：Ｅｕ２＋等が用いられ、緑色蛍光体には、Ｌｕ３Ａｌ５Ｏ１２：Ｃｅ３＋、（Ｌｕ，Ｙ）３Ａｌ５Ｏ１２：Ｃｅ３＋、Ｙ３（Ｇａ，Ａｌ）５Ｏ１２：Ｃｅ３＋、Ｃａ３Ｓｃ２Ｓｉ３Ｏ１２：Ｃｅ３＋、ＣａＳｃ２Ｏ４：Ｅｕ２＋、（Ｂａ，Ｓｒ）２ＳｉＯ４：Ｅｕ２＋、Ｂａ３Ｓｉ６Ｏ１２Ｎ２：Ｅｕ２＋、（Ｓｉ，Ａｌ）６（Ｏ，Ｎ）８：Ｅｕ２＋等を用いることができる。
【００２２】
また、浮き子５は、液量表示管２において液体３の表面（液面）に浮かぶように重さが調整されている。浮き子５に使用される材料としては、液体３の比重（液体３が水の場合は、１）よりも小さい比重の材質のものを選択しても良いし、浮き子５の内部に適当な容積の空洞を設け、液体３の表面（液面）に浮かぶよう設計にしても良い。また、浮き子５は、必ずしも球状である必要は無く、円錐状、円柱状、多角形などの形状をとっても良い。また、浮き子５は、これが例えば球状のものである場合、浮き子５の外径は、液量表示管２の内径に対して小さいものである必要がある。
【００２３】
また、本発明の液量表示装置が電気湯沸かし器や保温容器などに用いられる場合、浮き子５は、例えば熱湯中で劣化しないことが求められるため、蛍光体が分散される浮き子５の材料には耐熱性の高い材質が適しており、好ましくは、耐熱性が１５０℃以上の材料が用いられるのが良い。具体的には、蛍光体が分散される浮き子５の材料としては、エポキシ樹脂、フッ素樹脂、フェノール樹脂、シリコーン樹脂などの材料が１５０℃以上で安定であり、好ましい。また、浮き子５の材料としては、上述した組成の蛍光体粉末をＳｉＯ２、Ｂ２Ｏ３、Ａｌ２Ｏ３などの成分を含むガラス中に分散したものも使用することができる。ガラス母体に発光中心イオンを添加したガラス蛍光体としては、Ｃｅ３＋やＥｕ２＋を付活剤として添加したＣａ−Ｓｉ−Ａｌ−Ｏ−Ｎ系やＹ−Ｓｉ−Ａｌ−Ｏ−Ｎ系などの酸窒化物系ガラス蛍光体を用いても良い。また、浮き子５には、蛍光体セラミックスを用いることもできる。
【００２４】
このような構成の液量表示装置では、液量表示管２において液体３の表面（液面）に浮かんでいる浮き子５に、空間的に離れて配置されている固体光源４からの励起光を照射すると、浮き子５に含まれている蛍光体が固体光源４からの励起光により励起されて発光し（蛍光発光し）、この浮き子５の発光により、周囲が暗い状況下においても、液量表示管２において液体３の表面（液面）の位置を容易に視認することができ（視認性を高めることができ）、液量（液面の位置）の認識を従来に比べてより一層容易に行うことができる（例えば視力の低下した人でも液量（液面の位置）の認識を容易に行うことができる）。
【００２５】
なお、例えば球状の浮き子５の全面が一様な材質（蛍光体が分散された材料）で覆われている場合には、図１の例では、固体光源４からの励起光は、例えば球状の浮き子５の外面の下半分しか照射せず、浮き子５の外面の下半分しか蛍光の発光がない。
【００２６】
浮き子５の全面からの均一な蛍光の発光を得るためには、浮き子５は、固体光源４からの光を吸収し均一に発光することが望ましい。このためには、浮き子５の構造として、例えば図２に断面図で示すように、浮き子５の内部に空洞部７を設け、浮き子５の空洞部７内に固体光源４からの励起光を導入する励起光導入部（光学的部位）６を設けることができる。なお、図２の例では、励起光導入部（光学的部位）６は、浮き子５の重心を励起光導入部６側に移動させる機能（浮き子５の下部に必ず励起光導入部６が来るようにする機能）をも有しており、これにより、浮き子５の空洞部７内に固体光源４からの励起光を導入することができる。図２の例では、励起光導入部６は、浮き子５の重心を励起光導入部６側に移動させる機能（浮き子５の下部に必ず励起光導入部６が来るようにする機能）をも有しているが、例えば図３（断面図）のように、浮き子５の内部に重り８を設け、この重り８に、浮き子５の重心を励起光導入部６側に移動させる機能（浮き子５の下部に必ず励起光導入部６が来るようにする機能）をもたせることもできる。このように、浮き子５の内部に空洞部７を設け、浮き子５の空洞部７内に固体光源４からの励起光を導入する励起光導入部６を設けることにより、浮き子５の内部全面にほぼ均一に励起光を照射することができ、浮き子５の全面をほぼ均一に蛍光発光させることができ、視認性をより一層高めることができる。
【００２７】
また、液量表示管２から容器内の液体３を外部に出す構造の場合は、浮き子５を例えば円環状（リング状、ドーナツ形状）のものにして、液体３の流れを妨げないような構造（液体３の流路面積を大きくした構造）をとることもできる。図４（ａ）、（ｂ）には、浮き子５を円環状（リング状）のものにした構造の一例が示されている。なお、図４（ａ）は平面図、図４（ｂ）は図４（ａ）のＡ−Ａ線における断面図である。図４（ａ）、（ｂ）の例では、浮き子５は、内部に空洞部７を有し、また、浮き子５の空洞部７内に固体光源４からの励起光を導入する励起光導入部６を備えている。そして、図４（ａ）、（ｂ）の例では、浮き子５は、円環状（リング状）のものになっており、特にその中央部において液体３の流れを妨げない流路９が確保された構造（液体３の流路面積を大きくした構造）のものとなっている。浮き子５をこのような構造のものとすることによって、液量表示管２から容器内の液体３を外部に出す際に、浮き子５によって液体３の流れが妨げないようにすることができる。
【００２８】
上述したように、浮き子５としては、例えば、透明樹脂に蛍光体粒子を分散した内部に空洞を有する球状のものであって、励起光を導入する励起光導入部（光学的部位）６を有しているものを用いることができる。
【００２９】
また、浮き子５としては、例えば、蛍光体ガラスからなる内部に空洞を有する球状のものであって、励起光を導入する励起光導入部（光学的部位）６を有しているものを用いることができる。
【００３０】
また、浮き子５としては、例えば、蛍光体セラミックスからなる内部に空洞を有する球状のものであって、励起光を導入する励起光導入部（光学的部位）６を有しているものを用いることができる。
【００３１】
ところで、上述した浮き子５は、単一の蛍光体だけを含むものにすることもできるが、温度特性が互いに異なる複数の蛍光体を組み合わせることもでき、この場合には、液体３の温度（容器１内の液体３の温度）に応じて浮き子５の発光色を変えることができて、これにより、液体３の温度を簡易的に知ることができる。
【００３２】
すなわち、一般的に蛍光体は周囲の温度が上昇すると、蛍光変換効率が低下する特性を持っており、これを温度消光と言う。蛍光体の温度消光の特性は蛍光体の母体材料や発光中心の元素、結晶欠陥の密度などによって制御することが可能である。
【００３３】
一例として、例えば赤色発光のＣａＡｌＳｉＮ３：Ｅｕ２＋蛍光体では、室温から１００℃に周囲の温度が上昇した場合の蛍光強度維持率（２５℃の蛍光強度を１００とする）は、代表的なもので約９７％である（温度消光率は約３％である）。これに対し、例えば黄色蛍光体の（Ｓｒ，Ｂａ）２ＳｉＯ４：Ｅｕ２＋蛍光体では、室温から１００℃に周囲の温度が変化した場合の蛍光強度維持率（２５℃の蛍光強度を１００とする）は、代表的なもので約８９％以下である（温度消光率は約１１％以上である）。この２種類の蛍光体を、ＣａＡｌＳｉＮ３：Ｅｕ２＋蛍光体：（Ｓｒ，Ｂａ）２ＳｉＯ４：Ｅｕ２＋蛍光体＝４：１で配合し、シリコーン樹脂に５ｗｔ％の重量比で混合すると、室温での蛍光色度は橙色であるが、１００℃での蛍光色度は赤色となり、液体（例えば水）３の温度（例えば湯温）を浮き子５の蛍光発光色で認識することができる。
【００３４】
このように、上述した浮き子５は、単一の蛍光体を含むものにすることもできるが、温度特性が互いに異なる複数の蛍光体を組み合わせることもでき、この場合には、液体３の温度（容器内の液体３の温度）に応じて浮き子５の発光色を変えることができて、これにより、液体３の温度を簡易的に知ることができる。
【００３５】
浮き子５として、温度特性が互いに異なる複数の蛍光体の組み合わせを色々と調べた結果、室温から９０℃に温度が上昇した場合の蛍光強度維持率が９０％以上の蛍光体を少なくとも１種類含み、室温から９０℃に温度が上昇した場合の蛍光強度維持率が９０％未満の蛍光体を少なくとも１種類含んでいるときに、液体３の温度（容器内の液体３の温度）に応じて浮き子５の発光色を変えることができて、これにより、液体（例えば水）３の温度（例えば湯温）を簡易的に知ることができることが確認できた。
【００３６】
以下、本発明の実施例を説明する。
【００３７】
（実施例１）
実施例１では、シリコーン樹脂中に赤色に発光するＣａＡｌＳｉＮ３：Ｅｕ２＋蛍光体を１０ｗｔ％、黄色に発光する（Ｓｒ，Ｂａ）２ＳｉＯ４：Ｅｕ２＋蛍光体を４０ｗｔ％の割合で混合し、ドーム状に成型した（２つのドームを作製した）。一方のドームには、中心部分に穴を開け、その部分に透明シリコーン樹脂からなる円錐状の励起光導入部６（図２に示したような励起光導入部６）を形成した。このように作製した２つのドームを向かい合わせで接着し、内部に空洞を有する外径８ｍｍの浮き子５を作製した。そして、内径１０ｍｍのガラス管を用意し、浮き子５をこのガラス管の中に入れ、浮き子５が外に出ないようガラス管の両端にメッシュ状のストッパーを取り付けて、液量表示管２とした。この液量表示管２の下部に、波長４０５ｎｍの励起光を出射する固体光源４（ＬＥＤ素子）を、励起光の光軸が浮き子５の位置に合うように設置した。この実施例１の液量表示装置を、従来の電気湯沸かし器の液量表示管と置き換えて評価した。液量表示管２内の水の温度が室温（２５℃の）状態では、浮き子５は黄色（ｘ、ｙ＝０．５０９６、０．４７７８）に発光した。一方、液量表示管２内の水の温度が約９０℃の状態では、浮き子５は橙色（ｘ、ｙ＝０．５３５７、０．４４６０）に発光した。室内が明るい場合は、浮き子５は蛍光体自体の蛍光色で視認性が高く、薄暮や室内照明が少ない状況では、固体光源４（ＬＥＤ素子）に通電する事で浮き子５自体が発光し、視認性が高まった。また、容器１内の水温が上昇した事を、浮き子５の発光色調で簡易的に確認することができた。
【００３８】
（実施例２）
実施例２では、シリコーン樹脂中に赤色に発光するＣａＡｌＳｉＮ３：Ｅｕ２＋蛍光体を１０ｗｔ％、緑色に発光する（Ｂａ，Ｓｒ）２ＳｉＯ４：Ｅｕ２＋蛍光体を４０ｗｔ％の割合で混合し、ドーム状に成型した（２つのドームを作製した）。一方のドームには、中心部分に穴を開け、その部分に透明シリコーン樹脂からなる円錐状の励起光導入部６（図２に示したような励起光導入部６）を形成した。このように作製した２つのドームを向かい合わせで接着し、内部に空洞を有する外径８ｍｍの浮き子５を作製した。そして、内径１０ｍｍのガラス管を用意し、浮き子５をこのガラス管の中に入れ、浮き子５が外に出ないようガラス管の両端にメッシュ状のストッパーを取り付けて、液量表示管２とした。この液量表示管２の下部に、波長４０５ｎｍの励起光を出射する固体光源４（ＬＥＤ素子）を、励起光の光軸が浮き子５の位置に合うように設置した。この実施例２の液量表示装置を、従来の電気湯沸かし器の液量表示管と置き換えて評価した。液量表示管２内の水の温度が室温（２５℃の）状態では、浮き子５は緑色（ｘ、ｙ＝０．３６９５、０．５５４７）に発光した。一方、液量表示管２内の水の温度が約９０℃の状態では、浮き子５は黄色（ｘ、ｙ＝０．３９５３、０．５１５４）に発光した。室内が明るい場合は、浮き子５は蛍光体自体の蛍光色で視認性が高く、薄暮や室内照明が少ない状況では、固体光源４（ＬＥＤ素子）に通電する事で浮き子５自体が発光し、視認性が高まった。また、容器１内の水温が上昇した事を、浮き子５の発光色調で簡易的に確認することができた。
【００３９】
これらの実施例１、２からもわかるように、本発明では、例えば電気湯沸かし器の液量表示管２内に、温度特性が互いに異なる複数種類の蛍光体を含む浮き子５を入れ、液量表示管２の水面に浮かべ、この浮き子５を別途用意した固体光源４からの励起光で励起する事で、浮き子５を蛍光発光させて液面の位置を表示し、かつ、蛍光発光色で水温を利用者に知らせることができる。すなわち、従来の電気湯沸かし器の構造から大きな設計変更や、高価な回路を増設する事無く、液面の位置と湯温の状態を表示できる。
【００４０】
なお、図１の例では、液量表示管２と容器１との間に連通管１１が設けられているが、液量表示管２と容器１との間が連通していれば良く、連通管１１は必ずしも設けられていなくともよい（すなわち、液量表示管２と容器１とが直接連通していてもよい）。
【００４１】
また、上述の例では、本発明の液量表示装置を電気湯沸かし器に用いる場合について説明したが、本発明の液量表示装置を保温容器（例えばテルモスなどの水筒等）や油量計（燃料タンクやファンヒーターなどの油量計）などに用いることもできる。
【産業上の利用可能性】
【００４２】
本発明は、電気湯沸かし器、保温容器、燃料タンク、ファンヒーターなどに利用可能である。
【符号の説明】
【００４３】
１          容器
２          液量表示管
３          液体
４          固体光源
５          浮き子
６          励起光導入部（光学的部位）
７          空洞部
８          重り
９          流路
１１          連通管
１２          ストッパー
【図１】
2013063167.tif 000003
【図２】
2013063167.tif 000004
【図３】
2013063167.tif 000005
【図４】
2013063167.tif 000006